(57)【要約】【課題】    遅延波を含むＯＦＤＭ信号を受信した場合に、適切な波形等価を行うことでＯＦＤＭ信号復調装置の受信性能を向上させること。【解決手段】  最大レベル信号波系ブロック１２−１において、ピーク検出回路１８−１は、受信信号の内の最大レベルの信号を検出し、ＦＦＴ窓パルス生成回路２０−１は、検出された信号に同期したＦＦＴ窓パルスを生成する。ＦＦＴ回路１４−１は、ＦＦＴ窓パルスに従って受信信号をＦＦＴ処理して、ピーク検出回路１８−１から出力された波形識別子と対応付けてＦＦＴ信号を記憶する。切り替え回路２２は、波形識別子に基づいて、同一の波形識別子が対応付けられたＦＦＴ信号を選択して、伝送路等価回路２４に出力する。伝送路等価回路２４は、ＦＦＴ信号を４シンボル数毎に格納し、伝送路等価処理を行い、復調回路２６へ出力する。【選択図】図１
2005252671.tif 000002
【特許請求の範囲】
【請求項１】
複数の伝送路を経由して受信部より受信された遅延波を含むＯＦＤＭ信号を復調するＯＦＤＭ信号復調装置において、
前記受信された遅延波を含むＯＦＤＭ信号について、遅延波のピーク値を検出するピーク検出手段と、
このピーク検出手段により検出された遅延波に同期するＦＦＴ窓パルスを生成する窓パルス生成手段と、
この窓パルス生成手段によって生成されたＦＦＴ窓パルスに従って前記受信された遅延波を含むＯＦＤＭ信号をＦＦＴ処理してＦＦＴ信号を抽出するＦＦＴ抽出手段と、
前記窓パルス生成手段によって生成されたＦＦＴ窓パルスのうち、所定条件に合致するＦＦＴ窓パルスに従って前記受信した遅延波を含むＯＦＤＭ信号をＦＦＴ処理することにより抽出されたＦＦＴ信号の中から、波形等価に必要な規定シンボル数内のＦＦＴ信号を選択する選択手段と、
この選択手段により選択されたＦＦＴ信号を波形等価する波形等価手段と、
この波形等価手段によって波形等価されたＦＦＴ信号に対して復調処理を行う復調手段と、
を有することを特徴とするＯＦＤＭ信号復調装置。
【請求項２】
複数の伝送路を経由して受信部より受信された遅延波を含むＯＦＤＭ信号を復調するＯＦＤＭ信号復調装置において、
前記受信された遅延波を含むＯＦＤＭ信号について、複数の遅延波のピーク値を検出するピーク検出手段と、
このピーク検出手段により検出された複数の遅延波に夫々同期する複数のＦＦＴ窓パルスを生成する窓パルス生成手段と、
この窓パルス生成手段によって生成された複数のＦＦＴ窓パルスに従って前記受信された遅延波を含むＯＦＤＭ信号をＦＦＴ処理してＦＦＴ信号を抽出するＦＦＴ抽出手段と、
前記窓パルス生成手段によって生成された複数のＦＦＴ窓パルスのうち、所定条件に合致するＦＦＴ窓パルスに従って前記受信された遅延波を含むＯＦＤＭ信号をＦＦＴ処理することにより抽出されたＦＦＴ信号の中から、波形等価に必要な規定シンボル数内のＦＦＴ信号を選択する選択手段と、
この選択手段により選択されたＦＦＴ信号を波形等価する波形等価手段と、
この波形等価手段によって波形等価されたＦＦＴ信号に対して復調処理を行う復調手段と、
を有することを特徴とするＯＦＤＭ信号復調装置。
【請求項３】
前記選択手段は、同一の伝送路を経由して受信部より受信された遅延波に同期するＦＦＴ窓パルスに従って、当該受信されたＯＦＤＭ信号をＦＦＴ処理することにより抽出されたＦＦＴ信号が多くなるように波形等価対象のＦＦＴ信号を選択することを特徴とする請求項１乃至請求項２記載のＯＦＤＭ信号復調装置。
【請求項４】
前記選択手段は、同一の伝送路を経由して受信部より受信された遅延波に同期するＦＦＴ窓パルスに従って、当該受信されたＯＦＤＭ信号をＦＦＴ処理することにより抽出されたＦＦＴ信号のみを波形等価対象のＦＦＴ信号として選択することを特徴とする請求項１乃至請求項２記載のＯＦＤＭ信号復調装置。
【請求項５】
前記ピーク検出手段によって検出された複数の遅延波のピーク値に基づいて夫々の遅延波の平均ピーク値を算出する平均ピーク値算出手段を有し、
前記選択手段は、前記平均ピーク値算出手段によって算出された平均ピーク値が最大となる遅延波を検出し、当該遅延波に同期するＦＦＴ窓パルスに従って前記受信されたＯＦＤＭ信号をＦＦＴ処理することにより抽出されたＦＦＴ信号の中から、波形等価に必要な規定シンボル数内のＦＦＴ信号を選択することを特徴とする請求項２記載のＯＦＤＭ信号復調装置。
【請求項６】
複数の伝送路を経由して受信部より受信された遅延波を含むＯＦＤＭ信号を復調するＯＦＤＭ信号復調方法であって、  前記受信された遅延波を含むＯＦＤＭ信号について、遅延波のピーク値を検出するピーク検出ステップと、
このピーク検出ステップにおいて検出された遅延波に同期するＦＦＴ窓パルスを生成する窓パルス生成ステップと、
この窓パルス生成ステップにおいて生成されたＦＦＴ窓パルスに従って前記受信された遅延波を含むＯＦＤＭ信号をＦＦＴ処理してＦＦＴ信号を抽出するＦＦＴ抽出ステップと、
前記窓パルス生成ステップにおいて生成されたＦＦＴ窓パルスのうち、所定条件に合致するＦＦＴ窓パルスに従って前記受信した遅延波を含むＯＦＤＭ信号をＦＦＴ処理することにより抽出されたＦＦＴ信号の中から、波形等価に必要な規定シンボル数内のＦＦＴ信号を選択する選択ステップと、
この選択ステップにおいて選択されたＦＦＴ信号を波形等価する波形等価ステップと、
この波形等価ステップにおいて波形等価されたＦＦＴ信号に対して復調処理を行う復調ステップと、
を有することを特徴とするＯＦＤＭ信号復調方法。
【請求項７】
複数の伝送路を経由して受信部より受信された遅延波を含むＯＦＤＭ信号を復調するＯＦＤＭ信号復調方法であって、
前記受信された遅延波を含むＯＦＤＭ信号について、複数の遅延波のピーク値を検出するピーク検出ステップと、
このピーク検出ステップにおいて検出された複数の遅延波に夫々同期する複数のＦＦＴ窓パルスを生成する窓パルス生成ステップと、
この窓パルス生成ステップにおいて生成された複数のＦＦＴ窓パルスに従って前記受信された遅延波を含むＯＦＤＭ信号をＦＦＴ処理してＦＦＴ信号を抽出するＦＦＴ抽出ステップと、
前記窓パルス生成ステップにおいて生成された複数のＦＦＴ窓パルスのうち、所定条件に合致するＦＦＴ窓パルスに従って前記受信された遅延波を含むＯＦＤＭ信号をＦＦＴ処理することにより抽出されたＦＦＴ信号の中から、波形等価に必要な規定シンボル数内のＦＦＴ信号を選択する選択ステップと、
この選択ステップにおいて選択されたＦＦＴ信号を波形等価する波形等価ステップと、
この波形等価ステップにおいて波形等価されたＦＦＴ信号に対して復調処理を行う復調ステップと、
を有することを特徴とするＯＦＤＭ信号復調方法。
【発明の詳細な説明】
【技術分野】
【０００１】
本発明は、直交周波数分割多重変調方式により変調された信号を受信し復調するＯＦＤＭ信号復調装置及びＯＦＤＭ信号復調方法に関する。
【背景技術】
【０００２】
地上波デジタル放送には、変調方式として複数の信号を多重化して送受信することが可能なＯＦＤＭ（Orthogonal Frequency Division Multiplexing：直交周波数分割多重変調方式）方式が利用されている。このＯＦＤＭ方式は、伝送帯域内に多数の直交する副搬送波（キャリア）を設け、それぞれのキャリアの振幅及び位相にデータを割り当て、ＰＳＫ（Phase Shift Keying）やＱＡＭ（Quadrature Amplitude Modulation）によりデジタル変調する方式である。
【０００３】
ＯＦＤＭ方式により変調されたＯＦＤＭ信号は、ＯＦＤＭシンボル（以下、単に「シンボル」という。）と呼ばれる伝送単位で伝送される。１シンボル内には、ＩＦＦＴ（Inverse Fast Fourier Transform）が行われた信号である有効シンボル（例えば、図１２（ａ）のＡ波の第１シンボルＳａ）と、当該有効シンボル内の後半部分の信号の複写であるガードインターバル（例えば、図１２（ａ）のＡ波のガードインターバルＧＩａ）とが含まれており、当該ガードインターバルは、１シンボルの前半部分に設けられる。このように、ガードインターバルは、有効シンボルの後半部分の複写であるから、１シンボル内において任意の範囲の信号を有効シンボルの範囲として選択することが可能である。
【０００４】
また、ＯＦＤＭ方式により、所定の振幅及び位相を持つ同期信号（「スキャッタードパイロット信号」といい、以下、「ＳＰ信号」と称す。）が予めシンボル内に埋め込まれている。受信側では、この同期信号の振幅及び位相を監視することで、伝送路の特性を推定し、推定した伝送路の特性により受信信号の波形等価（この波形等価に関する処理を以下「伝送路等価処理」という。）を行う。
【０００５】
図１１は、ＯＦＤＭ信号を受信し復調する従来のＯＦＤＭ信号復調装置９００のブロック図である。以下、同図を用いてＯＦＤＭ信号復調装置９００の機能構成を説明する。
【０００６】
同図によれば、ＯＦＤＭ信号復調装置９００は、外部アンテナＡＮＴを介してＯＦＤＭ信号を受信するチューナ部３と、復調部５００と、復号部７とを備えて構成される。
【０００７】
また、復調部５００は、ＡＤＣ（Analog Digital Converter）回路１０と、ＦＦＴ（Fast Fourier Transform：高速フーリエ変換）回路１０２と、ピーク検出回路１０４と、ＦＦＴ窓パルス生成回路１０６と、伝送路等価回路１０８と、復調回路２６とを備えて構成される。
【０００８】
先ず、チューナ部３は、放送局から送信され建物や地形などの障害によって反射・回折し、伝送時間及び位相の変化した遅延波を含むＯＦＤＭ信号を外部アンテナＡＮＴを介して受信し、増幅、中間周波信号への変換及び利得制御等を行った後、復調部５００へ出力する。
【０００９】
ＡＤＣ回路１０は、チューナ部３から出力された信号をデジタル信号に変換する。このデジタル信号は、ＦＦＴ処理される前の、いわゆるシンボル領域の信号（ＯＦＤＭ時間領域信号）であり、ＦＦＴ回路１０２のＦＦＴ処理によりキャリア領域の信号（ＯＦＤＭ周波数領域信号）への変換が為される。具体的には、１シンボル内から有効シンボル分の範囲の信号が選択され、選択された信号に対してＦＦＴ処理が為されて、キャリア領域の信号（以下、ＦＦＴ回路１０２から出力されるキャリア領域の信号を「ＦＦＴ信号」という。）へ変換が為される。
【００１０】
このＦＦＴ処理の対象となる処理範囲のことをＦＦＴ窓という。ＦＦＴ窓パルス生成回路１０６は、ＦＦＴ窓を指定するためのＦＦＴ窓パルスを生成する。具体的には、ＡＤＣ回路１０によってデジタル信号に変換された信号を、ピーク検出回路１０４が内部に有するＦＦＴ回路部（図示せず）におけるＦＦＴ処理によって、伝送時間及び位相の異なる複数のＦＦＴ信号を抽出する。そして、この抽出された複数のＦＦＴ信号のうち最大レベルのＦＦＴ信号を選択し、ＦＦＴ窓パルス生成回路１０６へ出力する。そして、ＦＦＴ窓パルス生成回路１０６は、ピーク検出回路１０４から出力された最大レベルの信号に同期するＦＦＴ窓パルスを生成して、ＦＦＴ回路１０２へ出力する。
【００１１】
ＦＦＴ回路１０２は、ＦＦＴ窓パルス生成回路１０６から出力される最大レベルの信号に同期したＦＦＴ窓パルスに従ってＡＤＣ回路１０から出力されたＯＦＤＭ信号にＦＦＴ処理を施し、ＦＦＴ信号を伝送路等価回路１０８へ出力する。
【００１２】
例えば、最大レベルの信号が図１２（ａ）に示すＡ波だった場合、Ａ波に同期したＦＦＴ窓パルスＰａ（図１２（ｄ））がＦＦＴ窓パルス生成回路１０６により生成される。
【００１３】
ＦＦＴ回路１０２は、ＦＦＴ窓パルスＰａが表す処理範囲に当たる部分の信号をＦＦＴ処理する。具体的には、Ａ波の信号のうち、ＦＦＴ窓パルスＰａがＨｉｇｈ状態である範囲Ｒに対してＦＦＴ処理を行う。
【００１４】
伝送路等価回路１０８は、ＦＦＴ回路１０２から出力されたＦＦＴ信号のうち、４シンボル数分（伝送路等価処理に必要な規定シンボル数）のＦＦＴ信号（第１〜第４ＦＦＴ信号）を蓄積的に記憶するためのＦＦＴ信号メモリ１１０を備えて構成される。このＦＦＴ信号メモリ１１０は、いわばシフトレジスタのような働きを有しており、ＦＦＴ回路１０２からＦＦＴ信号が出力される度に、第４ＦＦＴ信号の内容を削除して、メモリ内容を１つずつシフトし、新しくＦＦＴ回路１０２から出力されたＦＦＴ信号を第１ＦＦＴ信号として記憶する。
【００１５】
また、伝送路等価回路１０８は、ＦＦＴ回路１０２でＦＦＴ処理されたＦＦＴ信号に伝送路等価処理を行う。伝送路等価処理を簡単に説明すると、先ず、ＦＦＴ回路１０２から出力されるＦＦＴ信号をＦＦＴ信号メモリ１１０へ記憶していく。そして、記憶した各ＦＦＴ信号からＳＰ信号を抽出し、４シンボル数分のＳＰ信号を収集する。そして、収集したＳＰ信号の歪み量を算出して、算出した歪み量をもとに、シンボルの全サブキャリアに対する伝送路の伝達特性を求める。そして、当該伝達特性を用いて、第１ＦＦＴ信号に対して振幅等価及び位相等価を行う。
【００１６】
更に、伝送路等価回路１０８は、伝送路等価処理を行ったＦＦＴ信号を復調回路２６へ出力する。復調回路２６は、所定の誤り訂正処理と、復調処理とを行った後、処理結果を復号部７へ出力する。そして、復号部７が所定の復号処理を行うことにより、ＯＦＤＭ信号復調装置９００を内蔵する装置によってテレビ放送として表示出力及び音声出力が為される。
【００１７】
ここで、上述したＯＦＤＭ信号復調装置のＦＦＴ処理に関する技術として、例えば、次のものが知られている。すなわち、受信したＯＦＤＭ信号と、当該信号を所定時間遅延させた信号とを相関演算することにより、シンボル周期を推定し、推定したシンボル周期に同期して有効シンボル期間のＯＦＤＭ信号のＦＦＴ処理を行う技術である（特許文献１参照）。
【特許文献１】特開２００２−７７１０１号公報
【発明の開示】
【発明が解決しようとする課題】
【００１８】
さて、外部アンテナＡＮＴを介して受信される実際のＯＦＤＭ信号には、直接波だけでなく、ビル等に反射してから到達した反射波が複数含まれている。この反射波は、放送局から外部アンテナＡＮＴまでの伝送距離の違いによって、直接波に比べて伝送時間に遅延が生じると共に、位相の変化した信号（遅延波）となっている。
【００１９】
例えば、図１２（ａ）及び（ｂ）のような、Ａ波とＢ波とを受信したとする。Ｂ波は、伝送距離の違いによりＡ波に僅かな遅延が生じた信号である。そのため、実際に外部アンテナＡＮＴで受信される信号は、図１２（ｃ）のような合成信号ＡＢｗとなって受信される。
【００２０】
そして、伝送路の影響により、Ａ波の信号レベルが強くなる場合もあれば、Ｂ波の信号レベルが強くなる場合もある。例えば、Ａ波の信号レベルが強い場合は、ピーク検出回路１０４によって合成信号ＡＢｗの内のＡ波が検出され、ＦＦＴ窓パルス生成回路１０６によりＡ波に同期したＦＦＴ窓パルスＰａが生成される。また、Ｂ波の信号レベルが強い場合は、ピーク検出回路１０４によって合成信号ＡＢｗの内のＢ波が検出され、Ｂ波に同期したＦＦＴ窓パルスＰｂが生成される。この各ＦＦＴ窓パルスは、各信号に同期したパルス信号であるから、図１２（ｅ）のようにＦＦＴ窓パルスＰｂにも遅延が生じてしまう。
【００２１】
図１３は、受信した合成信号ＡＢｗをＦＦＴ回路１０２がＦＦＴ処理を行い、その結果をＦＦＴ信号メモリ１１０に格納した場合の、伝送路等価回路１０８の動作を説明するための図である。同図において、“Ａｎ”（ｎは整数）は、シンボル番号“ｎ”のＡ波のシンボルをＡ波に同期したＦＦＴ窓パルスＰａでＦＦＴ処理したＦＦＴ信号を表し、“Ｂｎ”は、シンボル番号“ｎ”のＢ波のシンボルをＢ波に同期したＦＦＴ窓パルスＰｂでＦＦＴ処理したＦＦＴ信号を表す。
【００２２】
先ず、Ｂ波よりもＡ波の信号レベルの強いときの合成信号ＡＢｗ（シンボル番号“０”）を受信すると、ＦＦＴ窓パルス生成回路１０６がＦＦＴ窓パルスＰａを生成し、当該パルスに従ってＦＦＴ回路１０２はＦＦＴ処理を行い、ＦＦＴ信号“Ａ０”を出力する。伝送路等価回路１０８は、ＦＦＴ信号“Ａ０”を第１ＦＦＴ信号としてＦＦＴ信号メモリ１１０に格納する。
【００２３】
Ａ波の信号レベルが強い期間（シンボル番号“０”〜“３”）は、ＦＦＴ窓パルスＰａに従ってＦＦＴ回路１０２はＦＦＴ処理を行い、ＦＦＴ信号“Ａ０”〜“Ａ３”をＦＦＴ信号メモリ１１０へ格納していく。シンボル番号“３”の時点において、ＦＦＴ信号メモリ１１０には、Ａ波のＦＦＴ信号“Ａ０”、“Ａ１”、“Ａ２”及び“Ａ３”が格納されており、これらの４つのＦＦＴ信号によって伝送路等価処理が為される。
【００２４】
尚、以下の説明において伝送路等価処理の対象とするＦＦＴ信号の基となる信号波の組み合わせを「シンボル区分」ということとする。例えば、シンボル番号“３”においては、伝送路等価処理は、Ａ波のＦＦＴ信号（Ａ波に同期したＦＦＴ窓パルスＰａでＦＦＴ処理を行ったＦＦＴ信号）のみで行われるので、このときのシンボル区分は、Ａ波となる。
【００２５】
そして、あるタイミングでＢ波の信号レベルがＡ波よりも強くなり、このときの合成信号ＡＢｗ（シンボル番号“４”）を受信すると、ＦＦＴ窓パルス生成回路１０６はＦＦＴ窓パルスＰｂを生成し、当該パルスに従ってＦＦＴ回路１０２はＦＦＴ処理を行い、ＦＦＴ信号“Ｂ４”を出力する。伝送路等価回路１０８は、ＦＦＴ信号“Ｂ４”をＦＦＴ信号メモリ１１０の第１ＦＦＴ信号メモリへ格納する。
【００２６】
このとき、ＦＦＴ信号メモリ１１０には、Ａ波のＦＦＴ信号“Ａ１”、“Ａ２”及び“Ａ３”と、Ｂ波のＦＦＴ信号“Ｂ４”とが格納されており、伝送路等価回路１０８は、これら４つのＦＦＴ信号で伝送路等価処理を行う。従って、シンボル区分は、Ａ波及びＢ波（Ａ波に同期したＦＦＴ窓パルスＰａでＦＦＴ信号処理を行ったＦＦＴ信号とＢ波に同期したＦＦＴ窓パルスＰｂでＦＦＴ信号処理を行なったＦＦＴ信号）となり、Ａ波及びＢ波のＦＦＴ信号が混在した状態で伝送路等価処理が行われる。
【００２７】
そして、シンボル番号“４”から“６”までのＢ波の信号レベルが強い期間は、シンボル区分は、Ａ波及びＢ波となる。そして、一定期間、Ｂ波の信号レベルが強い状態が続くと、シンボル番号“７”のようにシンボル区分がＢ波のみとなるが、Ａ波の信号レベルが一時的に強くなってしまうと、シンボル番号“９”のように、シンボル区分がＡ波及びＢ波となってしまう。
【００２８】
このように、Ａ波及びＢ波のような複数の信号（遅延波）の信号レベルは、経時的に変動する可能性があるため、伝送路等価処理に必要な規定シンボル数（例えば、４シンボル数）分のＦＦＴ信号の中に、伝送時間及び位相の異なる複数の遅延波のＦＦＴ信号が混在した状態で伝送路等価処理が為されてしまう。この場合、Ａ波のＦＦＴ信号を伝送路等価処理する場合に、Ｂ波のＳＰ信号によってＡ波の伝送路の特性を推定し、振幅等価及び位相等価を行うといった不都合が生じてしまう。そして、伝送路等価回路１０８から出力されるＦＦＴ信号は、実際の伝送路上での歪み（ノイズ）だけでなく、伝送路等価処理のシンボル区分による不都合をも含んでいるため、復調回路２６の誤り訂正処理の処理能力をオーバーしてしまい、復調回路２６のエラーを引き起こしてしまう可能性があった。
【００２９】
また、特許文献１のＯＦＤＭ信号復調装置も、信号レベルの変動する複数の信号を受信した場合は、従来のＯＦＤＭ信号復調装置９００と同様に、信号レベルの強いほうの信号波でＦＦＴ処理を行ってしまうため、結局は、複数の信号のＦＦＴ信号が混在したまま復調処理が為されてしまった。
【００３０】
本発明は、上述した課題に鑑みて為されたものであり、その目的とするところは、複数の伝送路を経由して受信された遅延波を含むＯＦＤＭ信号を受信し復調する場合に、適切な波形等価を行うことでＯＦＤＭ信号復調装置の受信性能を向上させることである。
【課題を解決するための手段】
【００３１】
以上の課題を解決するために、請求項１に記載のＯＦＤＭ信号復調装置は、複数の伝送路を経由して受信部より受信された遅延波を含むＯＦＤＭ信号を復調するＯＦＤＭ信号復調装置（例えば、図１のＯＦＤＭ信号復調装置１）において、
前記受信された遅延波を含むＯＦＤＭ信号について、遅延波のピーク値を検出するピーク検出手段（例えば、図１のピーク検出回路１８−１、ピーク検出回路１８−２）と、このピーク検出手段により検出された遅延波に同期するＦＦＴ窓パルスを生成する窓パルス生成手段（例えば、図１のＦＦＴ窓パルス生成回路２０−１、ＦＦＴ窓パルス生成回路２０−２）と、この窓パルス生成手段によって生成されたＦＦＴ窓パルスに従って前記受信された遅延波を含むＯＦＤＭ信号をＦＦＴ処理してＦＦＴ信号を抽出するＦＦＴ抽出手段（例えば、図１のＦＦＴ回路１４−１、ＦＦＴ回路１４−２）と、前記窓パルス生成手段によって生成されたＦＦＴ窓パルスのうち、所定条件に合致するＦＦＴ窓パルスに従って前記受信した遅延波を含むＯＦＤＭ信号をＦＦＴ処理することにより抽出されたＦＦＴ信号の中から、波形等価に必要な規定シンボル数内のＦＦＴ信号を選択する選択手段（例えば、図１の切り替え回路２２）と、この選択手段により選択されたＦＦＴ信号を波形等価する波形等価手段（例えば、図１の伝送路等価回路２４）と、この波形等価手段によって波形等価されたＦＦＴ信号に対して復調処理を行う復調手段（例えば、図１の復調回路２６）と、を有することを特徴とする。
【００３２】
また、請求項６に記載のＯＦＤＭ信号復調方法は、複数の伝送路を経由して受信部より受信された遅延波を含むＯＦＤＭ信号を復調するＯＦＤＭ信号復調方法（例えば、図１のＯＦＤＭ信号復調装置１の復調方法）であって、
前記受信された遅延波を含むＯＦＤＭ信号について、遅延波のピーク値を検出するピーク検出ステップ（例えば、図１のピーク検出回路１８−１、ピーク検出回路１８−２）と、このピーク検出ステップにおいて検出された遅延波に同期するＦＦＴ窓パルスを生成する窓パルス生成ステップ（例えば、図１のＦＦＴ窓パルス生成回路２０−１、ＦＦＴ窓パルス生成回路２０−２）と、この窓パルス生成ステップにおいて生成されたＦＦＴ窓パルスに従って前記受信された遅延波を含むＯＦＤＭ信号をＦＦＴ処理してＦＦＴ信号を抽出するＦＦＴ抽出ステップ（例えば、図１のＦＦＴ回路１４−１、ＦＦＴ回路１４−２）と、前記窓パルス生成ステップによって生成されたＦＦＴ窓パルスのうち、所定条件に合致するＦＦＴ窓パルスに従って前記受信した遅延波を含むＯＦＤＭ信号をＦＦＴ処理することにより抽出されたＦＦＴ信号の中から、波形等価に必要な規定シンボル数内のＦＦＴ信号を選択する選択ステップ（例えば、図１の切り替え回路２２）と、この選択ステップにおいて選択されたＦＦＴ信号を波形等価する波形等価ステップ（例えば、図１の伝送路等価回路２４）と、この波形等価ステップにおいて波形等価されたＦＦＴ信号に対して復調処理を行う復調ステップ（例えば、図１の復調回路２６）と、を有することを特徴とする。
【００３３】
請求項１及び請求項６に記載の発明によれば、複数の伝送路を経由して受信された遅延波を含むＯＦＤＭ信号を復調する際に、所定条件に合致するＦＦＴ窓パルスに従って受信したＯＦＤＭ信号をＦＦＴ処理することにより抽出されたＦＦＴ信号の中から、波形等価に必要な規定シンボル数内のＦＦＴ信号を選択し、この選択されたＦＦＴ信号を波形等価し復調する。
これにより、適切な波形等価処理を行うことが可能となり、波形等価処理後における誤り訂正処理の訂正処理能力が向上し、復調処理等をより正確に行うことが可能となる。従って、ＯＦＤＭ信号復調装置の装置性能を向上させることができる。
【００３４】
請求項２に記載のＯＦＤＭ信号復調装置は、複数の伝送路を経由して受信部より受信された遅延波を含むＯＦＤＭ信号を復調するＯＦＤＭ信号復調装置（例えば、図７のＯＦＤＭ信号復調装置１ａ）において、
前記受信された遅延波を含むＯＦＤＭ信号について、複数の遅延波のピーク値を検出するピーク検出手段（例えば、図７の最大レベル信号波系１２−１、第２〜第６レベル信号波系１２−２〜１２−６）と、このピーク検出手段により検出された複数の遅延波に夫々同期する複数のＦＦＴ窓パルスを生成する窓パルス生成手段（例えば、図７の最大レベル信号波系１２−１、第２〜第６レベル信号波系１２−２〜１２−６）と、この窓パルス生成手段によって生成された複数のＦＦＴ窓パルスに従って前記受信された遅延波を含むＯＦＤＭ信号をＦＦＴ処理してＦＦＴ信号を抽出するＦＦＴ抽出手段（例えば、図７の最大レベル信号波系１２−１、第２〜第６レベル信号波系１２−２〜１２−６）と、前記窓パルス生成手段によって生成された複数のＦＦＴ窓パルスのうち、所定条件に合致するＦＦＴ窓パルスに従って前記受信された遅延波を含むＯＦＤＭ信号をＦＦＴ処理することにより抽出されたＦＦＴ信号の中から、波形等価に必要な規定シンボル数内のＦＦＴ信号を選択する選択手段（例えば、図７の切り替え回路２２ａ）と、この選択手段により選択されたＦＦＴ信号を波形等価する波形等価手段（例えば、図７の伝送路等価回路２４）と、この波形等価手段によって波形等価されたＦＦＴ信号に対して復調処理を行う復調手段（例えば、図７の復調回路２６）と、を有することを特徴とする。
【００３５】
また、請求項７に記載のＯＦＤＭ信号復調方法は、複数の伝送路を経由して受信部より受信された遅延波を含むＯＦＤＭ信号を復調するＯＦＤＭ信号復調方法（例えば、図７のＯＦＤＭ信号復調装置１ａの復調方法）であって、
前記受信された遅延波を含むＯＦＤＭ信号について、複数の遅延波のピーク値を検出するピーク検出ステップ（例えば、図７の最大レベル信号波系１２−１、第２〜第６レベル信号波系１２−２〜１２−６）と、このピーク検出ステップにおいて検出された複数の遅延波に夫々同期する複数のＦＦＴ窓パルスを生成する窓パルス生成ステップ（例えば、図７の最大レベル信号波系１２−１、第２〜第６レベル信号波系１２−２〜１２−６）と、
この窓パルス生成ステップにおいて生成された複数のＦＦＴ窓パルスに従って前記受信された遅延波を含むＯＦＤＭ信号をＦＦＴ処理してＦＦＴ信号を抽出するＦＦＴ抽出ステップ（例えば、図７の最大レベル信号波系１２−１、第２〜第６レベル信号波系１２−２〜１２−６）と、前記窓パルス生成ステップにおいて生成された複数のＦＦＴ窓パルスのうち、所定条件に合致するＦＦＴ窓パルスに従って前記受信された遅延波を含むＯＦＤＭ信号をＦＦＴ処理することにより抽出されたＦＦＴ信号の中から、波形等価に必要な規定シンボル数内のＦＦＴ信号を選択する選択ステップ（例えば、図７の切り替え回路２２ａ）と、この選択ステップにおいて選択されたＦＦＴ信号を波形等価する波形等価ステップ（例えば、図７の伝送路等価回路２４）と、この波形等価ステップにおいて波形等価されたＦＦＴ信号に対して復調処理を行う復調ステップ（例えば、図７の復調回路２６）と、を有することを特徴とする。
【００３６】
請求項２及び請求項７に記載の発明によれば、複数の伝送路を経由して受信された遅延波を含むＯＦＤＭ信号を復調する際に、所定条件に合致する複数のＦＦＴ窓パルスに従って受信したＯＦＤＭ信号をＦＦＴ処理することにより抽出されたＦＦＴ信号の中から、波形等価に必要な規定シンボル数内のＦＦＴ信号を選択し、この選択されたＦＦＴ信号を波形等価し復調する。
これにより、適切な波形等価処理を行うことが可能となり、波形等価処理後における誤り訂正処理の訂正処理能力が向上し、復調処理等をより正確に行うことが可能となる。従って、ＯＦＤＭ信号復調装置の装置性能を向上させることができる。
【００３７】
請求項３に記載の発明は、請求項１乃至請求項２に記載のＯＦＤＭ信号復調装置であって、前記選択手段（図１の切り替え回路２２、図７の切り替え回路２２ａ）は、同一の伝送路を経由して受信部より受信された遅延波に同期するＦＦＴ窓パルスに従って、当該受信されたＯＦＤＭ信号をＦＦＴ処理することにより抽出されたＦＦＴ信号が多くなるよに波形等価対象のＦＦＴ信号を選択することを特徴とする。
【００３８】
請求項３に記載の発明によれば、請求項１乃至請求項２に記載の発明と同様の効果が得られるのは無論のこと、同一の伝送路を経由して受信部より受信された遅延波に同期するＦＦＴ窓パルスに従って受信されたＯＦＤＭ信号をＦＦＴ処理することにより抽出されたＦＦＴ信号が多くなるように波形等価対象のＦＦＴ信号を選択することができる。
従って、波形等価処理は、当該処理に必要な規定シンボル数分のＦＦＴ信号に対して、同一の伝送路を経由してきたＯＦＤＭ信号、即ち伝送時間が同一となるＯＦＤＭ信号に同期するＦＦＴ窓パルスに従ってＦＦＴ処理されたＦＦＴ信号が多くなるようにＦＦＴ信号を選択することができる。これにより、適切な波形等価処理を行うことが可能となり、波形等価処理後における誤り訂正処理の訂正処理能力が向上し、復調処理等をより正確に行うことができる。
従って、建物や地形などの障害に基づく受信状態の悪化による影響を低減することができると共に、ＯＦＤＭ信号復調装置の装置性能を向上させることができる。
【００３９】
請求項４に記載の発明は、請求項１乃至請求項２に記載のＯＦＤＭ信号復調装置であって、前記選択手段（図１の切り替え回路２２、図７の切り替え回路２２ａ）は、同一の伝送路を経由して受信部より受信された遅延波に同期するＦＦＴ窓パルスに従って、当該受信されたＯＦＤＭ信号をＦＦＴ処理することにより抽出されたＦＦＴ信号のみを波形等価対象のＦＦＴ信号として選択することを特徴とする。
【００４０】
請求項４に記載の発明によれば、請求項１乃至請求項２に記載の発明と同様の効果が得られるのは無論のこと、同一の伝送路を経由して受信部より受信された遅延波に同期するＦＦＴ窓パルスに従って受信されたＯＦＤＭ信号をＦＦＴ処理することにより抽出されたＦＦＴ信号のみを波形等価対象のＦＦＴ信号として選択することができる。
従って、波形等価の当該処理に必要な規定シンボル数分のＦＦＴ信号に対して、同一の伝送路を経由してきたＯＦＤＭ信号、即ち伝送時間が同一となるＯＦＤＭ信号に同期するＦＦＴ窓パルスに従ってＦＦＴ処理されたＦＦＴ信号のみを選択することができる。これにより、適切な波形等価処理を行うことが可能となり、波形等価処理後における誤り訂正処理の訂正処理能力が向上し、復調処理等をより正確に行うことができる。
従って、建物や地形などの障害に基づく受信状態の悪化による影響を低減することができると共に、ＯＦＤＭ信号復調装置の装置性能を向上させることができる。
【００４１】
請求項５に記載の発明は、請求項２に記載のＯＦＤＭ信号復調装置であって、前記ピーク検出手段によって検出された複数の遅延波のピーク値に基づいて夫々の遅延波の平均ピーク値を算出する平均ピーク値算出手段（例えば、図７の最大レベル信号波系１２−１、第２〜第６レベル信号波系１２−２〜１２−６）を有し、
前記選択手段（例えば、図７の切り替え回路２２ａ）は、前記平均ピーク値算出手段によって算出された平均ピーク値が最大となる遅延波を検出し、当該遅延波に同期するＦＦＴ窓パルスに従って前記受信されたＯＦＤＭ信号をＦＦＴ処理することにより抽出されたＦＦＴ信号の中から、波形等価に必要な規定シンボル数内のＦＦＴ信号を選択することを特徴としている。
【００４２】
請求項５に記載の発明によれば、請求項２に記載の発明と同様の効果が得られるのは無論のこと、同一の伝送路を経由して受信部より受信された遅延波に同期するＦＦＴ窓パルスに従って受信されたＯＦＤＭ信号をＦＦＴ処理したＦＦＴ信号の信号レベルの平均値が最大となるＦＦＴ信号を波形等価の対象として選択することが可能となる。
これにより波形等価の処理により適したＦＦＴ信号を選択することが可能となり、波形等価後における誤り訂正処理の訂正処理能力が向上し、復調処理等をより正確に行うことが可能となる。
従って、建物や地形などの障害に基づく受信状態の悪化による影響を低減することができると共に、ＯＦＤＭ信号復調装置の装置性能を向上させることができる。
【発明の効果】
【００４３】
請求項１及び請求項６に記載の発明によれば、複数の伝送路を経由して受信された遅延波を含むＯＦＤＭ信号を復調する際に、所定条件に合致するＦＦＴ窓パルスに従って受信したＯＦＤＭ信号をＦＦＴ処理することにより抽出されたＦＦＴ信号の中から、波形等価に必要な規定シンボル数内のＦＦＴ信号を選択し、この選択されたＦＦＴ信号を波形等価し復調する。
これにより、適切な波形等価処理を行うことが可能となり、波形等価処理後における誤り訂正処理の訂正処理能力が向上し、復調処理等をより正確に行うことが可能となる。従って、ＯＦＤＭ信号復調装置の装置性能を向上させることができる。
【００４４】
請求項２及び請求項７に記載の発明によれば、複数の伝送路を経由して受信された遅延波を含むＯＦＤＭ信号を復調する際に、所定条件に合致する複数のＦＦＴ窓パルスに従って受信したＯＦＤＭ信号をＦＦＴ処理することにより抽出されたＦＦＴ信号の中から、波形等価に必要な規定シンボル数内のＦＦＴ信号を選択し、この選択されたＦＦＴ信号を波形等価し復調する。
これにより、適切な波形等価処理を行うことが可能となり、波形等価処理後における誤り訂正処理の訂正処理能力が向上し、復調処理等をより正確に行うことが可能となる。従って、ＯＦＤＭ信号復調装置の装置性能を向上させることができる。
【００４５】
請求項３に記載の発明によれば、同一の伝送路を経由して受信部より受信された遅延波に同期するＦＦＴ窓パルスに従って受信されたＯＦＤＭ信号をＦＦＴ処理することにより抽出されたＦＦＴ信号が多くなるように波形等価対象のＦＦＴ信号を選択することができる。
従って、波形等価処理は、当該処理に必要な規定シンボル数分のＦＦＴ信号に対して、同一の伝送路を経由してきたＯＦＤＭ信号、即ち伝送時間が同一となるＯＦＤＭ信号に同期するＦＦＴ窓パルスに従ってＦＦＴ処理されたＦＦＴ信号が多くなるようにＦＦＴ信号を波形等価の対象として選択することができる。
これにより、適切な波形等価処理を行うことが可能となり、波形等価処理後における誤り訂正処理の訂正処理能力が向上し、復調処理等をより正確に行うことができる。更に、建物や地形などの障害に基づく受信状態の悪化による影響を低減することができると共に、ＯＦＤＭ信号復調装置の装置性能を向上させることができる。
【００４６】
請求項４に記載の発明によれば、同一の伝送路を経由して受信部より受信された遅延波に同期するＦＦＴ窓パルスに従って受信されたＯＦＤＭ信号をＦＦＴ処理することにより抽出されたＦＦＴ信号のみを波形等価対象のＦＦＴ信号として選択することができる。
従って、波形等価処理は、当該処理に必要な規定シンボル数分のＦＦＴ信号に対して、同一の伝送路を経由してきたＯＦＤＭ信号、即ち伝送時間が同一となるＯＦＤＭ信号に同期するＦＦＴ窓パルスに従ってＦＦＴ処理されたＦＦＴ信号のみを選択することができる。
これにより、適切な波形等価処理を行うことが可能となり、波形等価処理後における誤り訂正処理の訂正処理能力が向上し、復調処理等をより正確に行うことができる。更に、建物や地形などの障害に基づく受信状態の悪化による影響を低減することができると共に、ＯＦＤＭ信号復調装置の装置性能を向上させることができる。
【００４７】
請求項５に記載の発明によれば、同一の伝送路を経由して受信部より受信された遅延波に同期するＦＦＴ窓パルスに従って受信されたＯＦＤＭ信号をＦＦＴ処理したＦＦＴ信号の信号レベルの平均値が最大となるＦＦＴ信号を波形等価の対象として選択することが可能となる。
これにより波形等価の処理により適したＦＦＴ信号を選択することが可能となり、波形等価後における誤り訂正処理の訂正処理能力が向上し、復調処理等をより正確に行うことが可能となる。更に、建物や地形などの障害に基づく受信状態の悪化による影響を低減することができると共に、ＯＦＤＭ信号復調装置の装置性能を向上させることができる。
【発明を実施するための最良の形態】
【００４８】
以下、本発明のＯＦＤＭ信号復調装置を地上波デジタルテレビ放送のＯＦＤＭ信号復調装置１に適用した場合の実施形態について図１〜図１０を用いて説明する。尚、背景技術において図１１に示して説明したＯＦＤＭ信号復調装置９００と同一の構成要素には同一の符号を付してその説明を省略する。
【００４９】
図１は、ＯＦＤＭ信号復調装置１の機能構成を示すブロック図である。同図によれば、ＯＦＤＭ信号復調装置１は、チューナ部３と、復調部５と、復号部７とを備えて構成される。
【００５０】
チューナ部３は、外部アンテナＡＮＴを介して受信した遅延波（直接波に比べて伝送時間に遅延が生じ更に位相の変化した信号）を含むＯＦＤＭ信号の増幅、中間周波信号への変換、利得制御等を行い、処理した信号を復調部５へ出力する。
【００５１】
復調部５は、ＡＤＣ回路１０と、最大レベルの信号についての信号処理を行う最大レベル信号波系ブロック１２−１と、第２レベルの信号についての信号処理を行う第２レベル信号波系ブロック１２−２と、切り替え回路２２と、伝送路等価回路２４と、復調回路２６とを備えて構成される。また、最大レベル信号波系ブロック１２−１は、ＦＦＴ回路１４−１と、ピーク検出回路１８−１と、ＦＦＴ窓パルス生成回路２０−１とを備え、第２レベル信号波系ブロック１２−２は、ＦＦＴ回路１４−２と、ピーク検出回路１８−２と、ＦＦＴ窓パルス生成回路２０−２とを備えて構成される。
【００５２】
また、最大レベル信号波系ブロック１２−１のＦＦＴ回路１４−１は、最大用メモリ１６−１を備え、第２レベル信号波系ブロック１２−２のＦＦＴ回路１４−２は、第２用メモリ１６−２を備えて構成される。図２は、最大用メモリ１６−１及び第２用メモリ１６−２の構成を示す図である。
【００５３】
同図（ａ）によれば、最大用メモリ１６−１は、第１ＦＦＴ信号１６１ａ〜第４ＦＦＴ信号１６１ｄを格納する。第１ＦＦＴ信号１６１ａ〜第４ＦＦＴ信号１６１ｄは、ＦＦＴ回路１４−１でＦＦＴ処理されたＦＦＴ信号であり、ピーク検出回路１８−１から出力される波形識別子（異なる伝送路を経由して受信された伝送時間及び位相の異なる信号に対して付した記号）と対応付けられている。
【００５４】
また、最大用メモリ１６−１は、従来のＯＦＤＭ信号復調装置９００のＦＦＴ信号メモリ２４０と同様に、シフトレジスタのような働きを有しており、波形識別子にＦＦＴ信号を対応付けて第１ＦＦＴ信号１６１ａとして格納する際には、メモリ内容を１つずつシフトしてから格納する。具体的には、第３ＦＦＴ信号１６１ｃのメモリ内容を第４ＦＦＴ信号１６１ｄとして、第２ＦＦＴ信号１６１ｂのメモリ内容を第３ＦＦＴ信号１６１ｃとして、第１ＦＦＴ信号１６１ａのメモリ内容を第２ＦＦＴ信号１６１ｂとしてシフトした後、ピーク検出回路１８−１から出力される波形識別子にＦＦＴ回路１４−１でＦＦＴ処理されたＦＦＴ信号を対応付けて第１ＦＦＴ信号１６１ａとして格納する。
【００５５】
また、同図（ｂ）によれば、第２用メモリ１６−２は、第１ＦＦＴ信号１６２ａ〜第４ＦＦＴ信号１６２ｄを格納する。第１ＦＦＴ信号１６２ａ〜第４ＦＦＴ信号１６２ｄは、ＦＦＴ回路１４−２でＦＦＴ処理されたＦＦＴ信号であり、ピーク検出回路１８−２から出力される波形識別子と対応付けられている。第２用メモリ１６−２は、最大用メモリ１６−１と同様に、シフトレジスタのような働きを有しており、ＦＦＴ回路１４−２でＦＦＴ処理されたＦＦＴ信号を第１ＦＦＴ信号１６２ａとして格納する際には、メモリ内容を１つずつシフトしてからＦＦＴ信号を第１ＦＦＴ信号１６２ａとして格納する。
【００５６】
また、伝送路等価回路２４は、ＦＦＴ信号メモリ２４０を備えて構成される。ＦＦＴ信号メモリ２４０は、切り替え回路２２から出力されるＦＦＴ信号を第１ＦＦＴ信号〜第４ＦＦＴ信号として格納するためのメモリ領域である。
【００５７】
次に、復調部５の具体的な動作を説明する。復調部５のＡＤＣ回路１０は、チューナ部３から出力されたＯＦＤＭ信号をＡ／Ｄ変換して、最大レベル信号波系ブロック１２−１のＦＦＴ回路１４−１及びピーク検出回路１８−１と、第２レベル信号波系ブロック１２−２のＦＦＴ回路１４−２及びピーク検出回路１８−２とに出力する。
【００５８】
最大レベル信号波系ブロック１２−１において、ピーク検出回路１８−１は、ＡＤＣ回路１０から出力される遅延波を含む複数のＯＦＤＭ信号の中から信号レベルが最大レベルの信号を検出して、ＦＦＴ窓パルス生成回路２０−１へ出力する。また、ピーク検出回路１８−１は、ＡＤＣ回路１０から出力された、異なる伝送路を経由して受信された伝送時間及び位相の異なる信号毎に波形識別子を生成し、最大レベルの信号に対応する波形識別子をＦＦＴ回路１４−１へ出力する。具体的には、ＡＤＣ回路１０から出力された信号は、ピーク検出回路１８−１が内部に有するＦＦＴ回路部（図示せず）におけるＦＦＴ処理によって、伝送時間及び位相の異なる複数のＦＦＴ信号毎にＦＦＴ処理される。そして、このＦＦＴ処理された伝送時間及び位相の異なる複数のＦＦＴ信号のうち、最大レベルの信号をＡ波とし、このＡ波を基準として２番目にレベルの高い信号をＢ波、３番目にレベルの高い信号をＣ波、・・・として識別して、このうちの最大レベルの信号に当たる信号の波形識別子をＦＦＴ回路１４−１へ出力する。
【００５９】
図４は、ピーク検出回路１８−１が検出した直接波及び遅延波（伝送時間及び位相の異なる複数のＦＦＴ信号）の信号レベルと、波形識別子との関係を表す図である。例えば、棒線Ｒ１は、最大レベルの信号であるからＡ波として識別されたことを表している。また、棒線Ｒ２は、２番目にレベルの高い信号であるからＢ波として識別されたことを表している。
【００６０】
例えば、ピーク検出回路１８−１によって５つの信号波形がＦＦＴ処理されたとする。ピーク検出回路１８−１は、各信号の伝送時間、又は信号間の位相差を基に、図４（ａ）のように受信した信号に対して信号レベルの高い順に“Ａ波”、“Ｂ波”、“Ｃ波”・・・、“Ｅ波”と波形識別子を付加する。同図（ａ）において、最大レベルの信号はＡ波であるので、ピーク検出回路１８−１は、ＦＦＴ回路１４−１にＡ波の波形識別子を出力すると共に、複数の信号の中からＡ波の信号を抽出して、ＦＦＴ窓パルス生成回路２０−１へ出力する。
【００６１】
窓パルス生成手段であるＦＦＴ窓パルス生成回路２０−１は、ピーク検出回路１８−１から出力された最大レベルの信号に同期した第１のＦＦＴ窓パルスを生成して、ＦＦＴ回路１４−１へ出力する。
【００６２】
ＦＦＴ抽出手段であるＦＦＴ回路１４−１は、ＦＦＴ窓パルス生成回路２０−１から出力されるＦＦＴ窓パルスに従ってＡＤＣ回路１０から出力されるＯＦＤＭ信号をＦＦＴ処理する。そして、当該処理により導出したＦＦＴ信号と、ピーク検出回路１８−１から出力される波形識別子とを対応付けて第１ＦＦＴ信号１６１ａとして最大用メモリ１６−１に格納する。
【００６３】
第２レベル信号波系ブロック１２−２において、ピーク検出回路１８−２は、ＡＤＣ回路１０から出力される遅延波を含む複数の信号の中から信号レベルが最大レベルの信号に次ぐ２番目の信号（第２レベルの信号）を検出して、ＦＦＴ窓パルス生成回路２０−２へ出力する。また、ピーク検出回路１８−２は、ＡＤＣ回路１０から出力された、異なる伝送路を経由して受信された伝送時間及び位相の異なる信号毎に波形識別子を生成し、第２レベルの信号に対応する波形識別子をＦＦＴ回路１４−２へ出力する。具体的には、ＡＤＣ回路１０から出力された信号は、ピーク検出回路１８−２が内部に有するＦＦＴ回路部（図示せず）におけるＦＦＴ処理によって、伝送時間及び位相の異なる複数のＦＦＴ信号毎にＦＦＴ処理される。そして、このＦＦＴ処理された伝送時間及び位相の異なる複数のＦＦＴ信号のうち、最大レベルの信号をＡ波とし、このＡ波を基準として２番目にレベルの高い信号をＢ波、３番目にレベルの高い信号をＣ波、・・・として識別して、このうちの２番目にレベルの高い信号の波形識別子をＦＦＴ回路１４−２へ出力する。例えば、図４（ａ）において、第２レベルの信号はＢ波であるので、ピーク検出回路１８−２は、ＦＦＴ回路１４−２にＢ波の波形識別子を出力すると共に、複数の信号の中からＢ波の信号を抽出して、ＦＦＴ窓パルス生成回路２０−２へ出力する。
【００６４】
ＦＦＴ回路１４−２及びＦＦＴ窓パルス生成回路２０−２の機能・動作は、最大レベル信号波系ブロック１２−１のＦＦＴ回路１４−１及びＦＦＴ窓パルス生成回路２０−１と同様であるので、その説明を省略する。
【００６５】
また、ピーク検出回路１８−１及びピーク検出回路１８−２は、受信開始時に検出した最大レベルの信号及び第２レベルの信号の位相差を記憶する。そして、この位相差を有する２つの信号を対象に、最大レベルと第２レベルとの信号を判断する。例えば、受信開始時に最大レベルの信号及び第２レベルの信号としてＡ波及びＢ波を受信した場合は、Ａ波とＢ波の位相差を記憶しておく。その後、図４（ｂ）のように、Ａ波よりもＣ波（３番目の信号）の方が信号レベルが高くなった場合は、最大レベルの信号をＣ波、第２レベルの信号をＣ波に次ぐレベルの信号（Ａ波）として処理を行う。
【００６６】
切り替え回路２２は、最大用メモリ１６−１及び第２用メモリ１６−２に格納されているＦＦＴ信号に対応付けられた波形識別子に基づいて、伝送路等価処理に必要な規定シンボル数（例えば、４シンボル数）分のＦＦＴ信号を、最大用メモリ１６−１及び第２用メモリ１６−２から選択し、伝送路等価回路２４へ出力する。尚、初期状態においては、最大用メモリ１６−１の第１ＦＦＴ値１６１ａに対応付けられた波形識別子のＦＦＴ信号を選択することとする。
【００６７】
切り替え回路２２は、最大用メモリ１６−１及び第２用メモリ１６−２から、第１ＦＦＴ信号１６１ａ及び第１ＦＦＴ信号１６２ａの何れか一方、第２ＦＦＴ信号１６１ｂ及び第２ＦＦＴ信号１６２ｂの何れか一方、第３ＦＦＴ信号１６１ｃ及び第３ＦＦＴ信号１６２ｃの何れか一方、第４ＦＦＴ信号１６１ｄ及び第４ＦＦＴ信号１６２ｄの何れか一方を各ＦＦＴ信号に対応付けられた波形識別子に基づいて選択する。具体的には、同一の波形識別子のＦＦＴ信号を、又は同一の波形識別子のＦＦＴ信号が多くなるようにＦＦＴ信号を選択する。
例えば、図３のシンボル番号“４”のときのように、最大用メモリ１６−１にＡ波のＦＦＴ信号が３つ、Ｂ波のＦＦＴ信号が１つ格納されている場合は、最大用メモリ１６−１に格納されている３つのＡ波のＦＦＴ信号（Ａ３、Ａ２、Ａ１）と、第２用メモリ１６−２に格納されているＡ波のＦＦＴ信号（Ａ４）とを選択することで、Ａ波のＦＦＴ信号のみを、又はＡ波のＦＦＴ信号が多くなるように選択する。
【００６８】
また、切り替え回路２２は、最大用メモリ１６−１のメモリ内容を参照し、従前のＦＦＴ信号である第２ＦＦＴ信号１６１ｂ〜第４ＦＦＴ信号１６１ｄの波形識別子全てが、第１ＦＦＴ信号１６１ａの波形識別子と同一であるか否かを判定する。そして、従前のＦＦＴ信号である第２ＦＦＴ信号１６１ｂ〜第４ＦＦＴ信号１６１ｄの波形識別子全てが第１ＦＦＴ信号１６１ａの波形識別子と同一であると判定した場合にのみ、伝送路等価処理の対象として選択するＦＦＴ信号を、第１ＦＦＴ信号１６１ａの波形識別子と同一のＦＦＴ信号に切り替える。また、第１ＦＦＴ信号１６１ａの波形識別子と同一ではないと判定した場合は、従前に選択していた波形識別子のＦＦＴ信号を最大用メモリ１６−１及び第２用メモリ１６−２から選択する。
【００６９】
具体的な例を挙げて詳述する。図３は、遅延波を含むＯＦＤＭ信号を受信した場合の、切り替え回路２２の動作を説明するための図である。同図において、網掛け部分は、切り替え回路２２が最大用メモリ１６−１及び第２用メモリ１６−２から選択したＦＦＴ信号を表している。
【００７０】
先ず、遅延波を含む複数のＯＦＤＭ信号が受信されると、最大レベル信号波系ブロック１２−１のピーク検出回路１８−１及び第２レベル信号波系ブロック１２−２のピーク検出回路１８−２によって、伝送時間又は位相の異なる複数のＦＦＴ信号にＦＦＴ処理され、このＦＦＴ処理された各ＦＦＴ信号に対して最大レベルの信号をＡ波、２番目にレベルの高い信号をＢ波・・・といったように波形識別子が割り振られる。
【００７１】
同図において、シンボル番号“０”のＯＦＤＭ信号が受信されたときは、１番目に受信された信号、すなわちＡ波の信号レベルが最大レベルの信号としてピーク検出回路１８−１に検出されている。そして、Ａ波に同期したＦＦＴ窓パルスがＦＦＴ窓パルス生成回路２０−１によって生成され、ＦＦＴ回路１４−１によりＡＤＣ回路１０から出力された信号に当該パルスに従ったＦＦＴ処理が為される。図３において、このＦＦＴ処理の処理結果であるＦＦＴ信号“Ａ０”が、第１ＦＦＴ信号１６１ａとして最大用メモリ１６−１に格納されている。
【００７２】
また、同図においては、２番目にレベルの高い信号、すなわちＢ波の信号レベルが第２レベルの信号としてピーク検出回路１８−２によって検出されている。そして、Ｂ波に同期したＦＦＴ窓パルスがＦＦＴ窓パルス生成回路２０−２によって生成され、ＦＦＴ回路１４−２によりＡＤＣ回路１０から出力された信号に当該パルスに従ったＦＦＴ処理が為される。このＦＦＴ処理の処理結果であるＦＦＴ信号“Ｂ０”が、第２用メモリ１６−２の第１ＦＦＴ信号１６２ａとして格納されている。
【００７３】
シンボル番号“１”〜“３”において、シンボル番号“０”における処理と同様の処理が為され、同図のように最大用メモリ１６−１及び第２用メモリ１６−２には、順次ＦＦＴ信号が格納されていく。そして、切り替え回路２２は、第１ＦＦＴ信号１６１ａの波形識別子であるＡ波と同じＦＦＴ信号が多くなるように最大用メモリ１６−１及び第２用メモリ１６−２に格納されたＦＦＴ信号を選択して、伝送路等価回路２４へ出力する。従って、シンボル番号“０”〜“３”の間では、シンボル区分はＡ波となる。
【００７４】
同図において、シンボル番号“４”のＯＦＤＭ信号が受信されたとき、２番目にレベルの高かった信号、すなわちＢ波の信号レベルが現在最大レベルの信号としてピーク検出回路１８−１に検出され、ＦＦＴ回路１４−１から出力されるＦＦＴ信号“Ｂ４”が、最大用メモリ１６−１の第１ＦＦＴ信号１６１ａとして格納されている。
【００７５】
また、最大レベルだった信号、すなわちＡ波の信号レベルが現在第２レベルの信号としてピーク検出回路１８−２に検出され、ＦＦＴ回路１４−２から出力されるＦＦＴ信号“Ａ４”が、第２用メモリ１６−２の第１ＦＦＴ信号１６２ａとして格納されている。
【００７６】
このとき、切り替え回路２２は、最大用メモリ１６−１の第１ＦＦＴ信号１６１ａの波形識別子と、第２ＦＦＴ信号１６１ｂ〜第４ＦＦＴ信号１６１ｄの波形識別子とは同一ではないと判定し、従前に選択していた波形識別子である“Ａ波”のＦＦＴ信号を最大用メモリ１６−１及び第２用メモリ１６−２から選択する。従って、シンボル番号“４”において、シンボル区分はＡ波となり、従来のＯＦＤＭ信号復調装置９００のように、Ａ波及びＢ波が混在した状態で伝送路等価処理が為されることはない。
【００７７】
シンボル番号“５”及び“６”においては、現在（第１ＦＦＴ信号）Ｂ波が最大レベルの信号であり、Ａ波が第２レベルの信号であると検出されているため、シンボル番号“４”のときと同様にＦＦＴ処理が為される。このときも、切り替え回路２２は、最大用メモリ１６−１の第１ＦＦＴ信号１６１ａの波形識別子と、第２ＦＦＴ信号１６１ｂ〜第４ＦＦＴ信号１６１ｄの全ての波形識別子とは同一ではないため、従前に選択していた波形識別子である“Ａ波”のＦＦＴ信号を選択する。従って、シンボル番号“５”及び“６”において、シンボル区分はＡ波となる。
【００７８】
シンボル番号“７”においては、現在、Ｂ波が最大レベルの信号であり、Ａ波が第２レベルの信号であると検出されている。このとき、切り替え回路２２は、第１ＦＦＴ信号１６１ａの波形識別子と、第２ＦＦＴ信号１６１ｂ〜第４ＦＦＴ信号１６１ｄの波形識別子とが同一であると判定し、第１ＦＦＴ信号１６１ａの波形識別子と同一のＦＦＴ信号を最大用メモリ１６−１及び第２用メモリ１６−２から選択する。従って、シンボル番号“７”において、シンボル区分はＢ波となる。このように、Ｂ波が最大レベルの信号として４回連続して検出されると、切り替え回路２２は、伝送路等価処理の対象としてＢ波のＦＦＴ信号を選択する。
【００７９】
そして、シンボル番号“９”においては、現在、Ａ波の信号レベルが一時的に最大レベルであるとして検出されるが、切り替え回路２２は、第１ＦＦＴ信号１６１ａの波形識別子と、第２ＦＦＴ信号１６１ｂ〜第４ＦＦＴ信号１６１ｄの全ての波形識別子とは同一ではないため、従前に選択していたＢ波のＦＦＴ信号を選択する。従って、シンボル番号“７”において、シンボル区分はＢ波となる。
【００８０】
更に、シンボル番号“１０”において、現在、Ｃ波が最大レベルの信号として検出されＡ波が第２レベルの信号として検出された場合は、最大用メモリ１６−１の第１ＦＦＴ信号１６１ａが“Ｃ１０”となる。この場合は、従前に選択していたＢ波のＦＦＴ信号はメモリ内には３つのみとなり、メモリ内のＦＦＴ信号は、Ｂ波のＦＦＴ信号よりもＡ波のＦＦＴ信号の方が多くなるので、シンボル区分はＡ波となる。
【００８１】
切り替え回路２２が選択する同一の波形識別子が対応付けられたＦＦＴ信号、即ち、ＦＦＴ窓パルス生成回路２０−１から出力されたＦＦＴ窓パルス、又は、ＦＦＴ窓パルス生成回路２０−２から出力されたＦＦＴ窓パルスのうち、どちらか一方のＦＦＴ窓パルスに従って、ＡＤＣ回路１０から出力される伝送時間及び位相の異なる信号をＦＦＴ処理して抽出されたＦＦＴ信号は、同一の伝送路を経由してきた信号である。
【００８２】
このように、切り替え回路２２が、同一の波形識別子が対応付けられたＦＦＴ信号のみを、又は、同一の波形識別子が対応付けられたＦＦＴ信号が多くなるように選択すること、即ち、同一のＦＦＴ窓パルスに従ってＡＤＣ回路１０から出力される伝送時間及び位相の異なる信号をＦＦＴ処理したＦＦＴ信号のみを、又は同一のＦＦＴ窓パルスに従ってＡＤＣ回路１０から出力される伝送時間及び位相の異なる信号をＦＦＴ処理したＦＦＴ信号が多くなるように選択することで、伝送路等価処理に適したＦＦＴ信号、すなわち同一の伝送路を経由してきた信号を選択することが可能となる。
【００８３】
これにより、ＡＤＣ回路１０から出力される信号のうち、同一の伝送時間及び位相を有する信号に同期するＦＦＴ窓パルスに従ってＦＦＴ処理されたＦＦＴ信号のみが伝送路等価対象のＦＦＴ信号として選択するか、又は、ＡＤＣ回路１０から出力される信号のうち、同一の伝送時間及び位相を有する信号に同期するＦＦＴ窓パルスに従ってＦＦＴ処理されたＦＦＴ信号が多くなるように伝送路等価対象のＦＦＴ信号を選択することが可能となる。従って、伝送路等価処理に適したＦＦＴ信号を選択することができる。
【００８４】
伝送路等価回路２４は、切り替え回路２２から出力されたＦＦＴ信号を４シンボル数（伝送路等価処理に必要な規定シンボル数）毎にＦＦＴ信号メモリ２４０へ格納し、伝送路等価処理を行う。即ち、伝送路等価回路２４は、伝送路等価に必要な規定シンボル数の
ＦＦＴ信号に対して、同一の伝送時間及び位相を有する信号に同期するＦＦＴ窓パルスに従って抽出されたＦＦＴ信号のみに基づいて伝送路等価処理を行うか、又は、同一の伝送時間及び位相を有する信号に同期するＦＦＴ窓パルスに従って抽出されたＦＦＴ信号が多くなるようにして伝送路等価処理を行う。そして、伝送路等価処理を行ったＦＦＴ信号を復調回路２６へ出力する。
【００８５】
即ち、伝送路等価回路２４は、伝送路等価処理に必要な規定シンボル数のＦＦＴ信号に対して、同一の伝送時間及び位相を有する信号（遅延波）に同期するＦＦＴ窓パルスに従って抽出されたＦＦＴ信号のうち、信号レベルが最大となるＦＦＴ信号のみを、又は、信号レベルが最大となるＦＦＴ信号が多くなるように適宜選択して伝送路等価処理を行う。
【００８６】
復調回路２６は、伝送路等価回路２４から出力されたＦＦＴ信号に所定の誤り訂正処理や復調処理を行った後、復号部７へ出力する。
【００８７】
以上、本実施形態によれば、受信した遅延波を含むＯＦＤＭ信号から最大レベルの信号を検出し、当該信号に同期したＦＦＴ窓パルスに従ってＦＦＴ処理したＦＦＴ信号と、最大レベルの信号の波形識別子とを対応付けて所定数格納する。また、第２レベルの信号を検出し、当該信号に同期したＦＦＴ窓パルスに従ってＦＦＴ処理したＦＦＴ信号と、第２レベルの信号の波形識別子とを対応付けて所定数格納する。その後、このＦＦＴ信号の中から伝送路等価処理の対象とする信号を各ＦＦＴ信号に対応する波形識別子に基づいて選択する。
【００８８】
この選択は、伝送路等価処理に必要な規定シンボル数（例えば、４シンボル数）内で、同一の波形識別子を有するＦＦＴ信号を選択、又は同一の波形識別子を有するＦＦＴ信号が多くなるように選択する。即ち、同一の伝送時間及び位相を有する信号に同期するＦＦＴ窓パルスに従ってＡＤＣ回路１０から出力されるＯＦＤＭ信号をＦＦＴ処理したＦＦＴ信号のみを、又は同一の伝送時間及び位相を有する信号に同期するＦＦＴ窓パルスに従ってＡＤＣ回路１０から出力されるＯＦＤＭ信号をＦＦＴ処理したＦＦＴ信号が多くなるように選択する。従って、伝送路等価回路２４は、伝送路等価処理に必要な規定シンボル数分のＦＦＴ信号を、同一の伝送路を経由してきたＯＦＤＭ信号（同一の遅延波）に基づくＦＦＴ信号によって当該処理を行うことができる。
【００８９】
これにより、伝送路等価回路２４より後段の処理である誤り訂正処理における訂正処理能力が向上し、復調処理等をより正確に行うことが可能となる。従って、建物や地形などの障害に基づく受信状態の悪化による影響を低減することができる。また、遅延波を含むＯＦＤＭ信号を受信した場合に、同一の伝送時間及び位相を有する信号に同期するＦＦＴ窓パルス信号に基づいて抽出されたＦＦＴ信号（同一の波形識別子を有するＦＦＴ信号）を選択することにより、適切な伝送路等価処理を行うことができ、ＯＦＤＭ信号復調装置の受信性能を向上させることができる。
【００９０】
〔変形例〕
尚、上述した切り替え回路２２の制御内容は一例として説明したものであり、当該制御内容は、本発明の趣旨を逸脱しない限り適宜変更可能である。
【００９１】
例えば、ピーク検出回路１８−１及びピーク検出回路１８−２は、受信開始時に検出した最大レベルの信号及び第２レベルの信号の位相差を記憶する。そして、この位相差を有する２つの信号のみを対象に、最大レベルと第２レベルとの信号を判定するようにしても良い。例えば、受信開始時に最大レベルの信号及び第２レベルの信号としてＡ波及びＢ波を受信した場合は、Ａ波とＢ波の位相差を記憶しておく。その後、図４（ｂ）のように、Ａ波よりもＣ波（３番目の信号）の方が信号レベルが高くなった場合であっても、記憶してある位相差でないため、Ｃ波を検出の対象外とする。これにより、最大用メモリ１６−１及び第２用メモリ１６−２に、Ａ波及びＢ波以外のＦＦＴ信号が格納されることを防ぐことができ、伝送路等価処理の対象とするＦＦＴ信号は、Ａ波又はＢ波の何れか一方のＦＦＴ信号とすることができる。
【００９２】
また、例えば、同一の波形識別子の信号が４回連続して最大レベルの信号として検出された場合に、当該信号を伝送路等価処理の対象にするように切り替えるとしたが、波形識別子が２回連続して同一である場合に、切り替えることとしてもよいし、３回連続して同一である場合に、切り替えることとしてもよい。これにより、例えば、図５（ａ）のように２回連続して最大レベルの信号の波形識別子が同一である場合に、Ｂ波のＦＦＴ信号を選択したり、同図（ｂ）のように３回連続して波形識別子が同一である場合に、Ｂ波のＦＦＴ信号を選択したりする制御が実現できる。
【００９３】
また、波形識別子が所定数連続したか否かに応じて、伝送路等価処理の対象とするＦＦＴ信号を切り替えたが、単に同一の波形識別子のＦＦＴ信号が多くなるように、ＦＦＴ信号を選択することとしてもよい。具体的には、最大用メモリ１６−１のメモリ内容を参照して、一番多い波形識別子を選択し、当該波形識別子のＦＦＴ信号を伝送路等価処理の対象として選択する。例えば、図５（ｂ）のように、シンボル番号“６”において、最大用メモリ１６−１内で一番多い波形識別子の信号はＢ波であるから、Ｂ波のＦＦＴ信号を選択することとしてもよい。
【００９４】
また、復調部５は最大レベル信号波系ブロック１２−１及び第２レベル信号波系ブロック１２−２の２つのブロックを備えることとして説明したが、図７に示すように２つ以上のブロックを備えた復調部５ａとして構成することとしてもよい。尚、図１に示したＯＦＤＭ信号復調装置１と同一の構成要素には同一の符号を付して、以下、その説明を省略する。
【００９５】
復調部５ａは、ＡＤＣ回路１０と、最大レベル信号波系ブロック１２−１と、第２レベル信号波系ブロック１２−２、第３レベル信号波系ブロック１２−３、・・・、第６レベル信号波系ブロック１２−６と、切り替え回路２２ａと、伝送路等価回路２４と、復調回路２６とを備えて構成される。
【００９６】
最大レベル信号波系ブロック１２−１、第２レベル信号波系ブロック１２−２〜第６レベル信号波系ブロック１２−６は、図１に示す最大レベル信号波形ブロック１２−１及び第２レベル信号波系ブロック１２−２と同様に、ＦＦＴ回路と、ピーク検出回路と、ＦＦＴ窓パルス生成回路とを備えて構成される。
【００９７】
第３レベル信号波系ブロック１２−３は、ＡＤＣ回路１０から出力される信号から、第３レベルの信号を検出して、当該信号に同期したＦＦＴ窓パルスを生成した後、ＡＤＣ回路１０から出力される信号をＦＦＴ窓パルスに従ってＦＦＴ処理し、第３用メモリ（図示略）に格納する。同様に、第４レベル信号波系ブロック１２−４〜第６レベル信号波系ブロック１２−６は、第４レベル〜第６レベルの信号を検出して、第３レベル信号波系ブロック１２−３と同様の処理を行う。
【００９８】
切り替え回路２２ａは、最大用メモリ１６−１〜第６用メモリ（図示略）のＦＦＴ信号を参照して、同一の波形識別子が対応付けられたＦＦＴ信号、即ち、同一の伝送時間及び位相を有する信号に同期するＦＦＴ窓パルスに従ってＡＤＣ回路１０から出力されるＯＦＤＭ信号をＦＦＴ処理したＦＦＴ信号であり、且つ、信号レベルが安定しているＦＦＴ信号を選択して、伝送路等価回路２４へ出力する。例えば、Ａ波〜Ｅ波の信号が、最大レベル信号波系ブロック１２−１〜第５レベル信号波系ブロック１２−５の何れかで、不規則に検出され、Ｆ波が第６レベル信号波系ブロック１２−６において所定回数連続して検出された場合、切り替え回路２２ａは、Ｆ波のＦＦＴ信号を伝送路等価処理の対象として選択する。
【００９９】
図７におけるＯＦＤＭ信号復調装置１ａによれば、受信した伝送時間及び位相の異なる遅延波を含むＯＦＤＭ信号から、伝送時間及び位相の異なる遅延波をレベルの大きい順に検出し、当該遅延波に同期したＦＦＴ窓パルスに従ってＦＦＴ処理したＦＦＴ信号と、前記遅延波の波形識別子とを対応付けて格納する。その後、この格納されたＦＦＴ信号の中から伝送路等価処理の対象とする信号を選択する。
【０１００】
この選択は、伝送路等価処理に必要な規定シンボル数（例えば、４シンボル数）内で、同一の波形識別子を有するＦＦＴ信号を選択、又は同一の波形識別子を有するＦＦＴ信号が多くなるように選択する。即ち、同一の伝送時間及び位相を有する信号（遅延波）に同期するＦＦＴ窓パルスに従ってＡＤＣ回路１０から出力されるＯＦＤＭ信号をＦＦＴ処理したＦＦＴ信号のみを、又は同一の伝送時間及び位相を有する信号（遅延波）に同期するＦＦＴ窓パルスに従ってＡＤＣ回路１０から出力されるＯＦＤＭ信号をＦＦＴ処理したＦＦＴ信号が多くなるように選択される。
【０１０１】
これにより、伝送路等価回路２４より後段の処理において誤り訂正処理における訂正処理能力が向上し、復調処理等をより正確に行うことが可能となる。従って、建物や地形などの障害に基づく受信状態の悪化による影響を低減することができる。
【０１０２】
また、遅延波を含むＯＦＤＭ信号を受信した場合に、同一の伝送時間及び位相を有する信号（遅延波）に同期するＦＦＴ窓パルス信号に基づいて抽出されたＦＦＴ信号を適宜選択することにより、適切な伝送路等価処理を行うことができ、ＯＦＤＭ信号復調装置の受信性能を向上させることができる。
【０１０３】
また、波形識別子に基づいてＦＦＴ信号を選択することとしたが、例えば、信号レベルに基づいて選択することとしてもよい。具体的には、ピーク検出回路１８−１を、最大レベルの信号の波形識別子の他に、当該信号の信号レベルをＦＦＴ回路１４−１へ出力するように構成し、また、ピーク検出回路１８−２を、第２レベルの信号の波形識別子の他に、当該信号の信号レベルをＦＦＴ回路１４−２へ出力するように構成する。また、図１に示した最大用メモリ１６−１及び第２用メモリ１６−２をそれぞれ図６の最大用メモリ１６−３及び第２用メモリ１６−４に置き換える。
【０１０４】
図６は、最大用メモリ１６−３及び第２用メモリ１６−４の構成を示す図である。同図（ａ）によれば、最大用メモリ１６−３は、第１ＦＦＴ信号１６１ａに第１信号レベル１６３ａを、第２ＦＦＴ信号１６１ｂに第２信号レベル１６３ｂを、第３ＦＦＴ信号１６１ｃに第３信号レベル１６３ｃを、第４ＦＦＴ信号１６１ｄに第４信号レベル１６３ｄを対応付けて格納する。第１信号レベル１６３ａ〜第４信号レベル１６３ｄは、ピーク検出回路１８−１から出力される信号レベルである。
【０１０５】
同図（ｂ）によれば、第２用メモリ１６−４は、第１ＦＦＴ信号１６２ａに第１信号レベル１６４ａを、第２ＦＦＴ信号１６２ｂに第２信号レベル１６４ｂを、第３ＦＦＴ信号１６２ｃに第３信号レベル１６４ｃを、第４ＦＦＴ信号１６２ｄに第４信号レベル１６４ｄを対応付けて格納する。第１信号レベル１６４ａ〜第４信号レベル１６４ｄは、ピーク検出回路１８−２から出力される信号レベルである。
【０１０６】
ＦＦＴ回路１４−１は、波形識別子とＦＦＴ信号とを対応付けて第１ＦＦＴ信号１６１ａとして格納すると共に、ピーク検出回路１８−１から出力された信号レベルを第１信号レベル１６３ａとして格納する。ＦＦＴ回路１４−２は、波形識別子とＦＦＴ信号とを対応付けて第１ＦＦＴ信号１６２ａとして格納すると共に、ピーク検出回路１８−２から出力された信号レベルを第１信号レベル１６４ａとして格納する。切り替え回路２２は、最大用メモリ１６−３及び第２用メモリ１６−４を参照し、波形識別子が同一のＦＦＴ信号に対応付けられた信号レベルの平均値を算出する。そして、算出した平均値が最大の波形識別子に対応付けられたＦＦＴ信号を伝送路等価処理の対象として選択する。
【０１０７】
尚、信号レベルに基づいてＦＦＴ信号を選択することを図１を用いて説明を行ったが、図７に示したＯＦＤＭ信号復調装置１ａについても図１と同様に、信号レベルに基づいてＦＦＴ信号を選択することによる処理を行うことができる。以下、その説明は省略する。
【０１０８】
このように、切り替え回路２２、及び切り替え回路２２ａにより、波形識別子が同一のＦＦＴ信号に対応付けられた信号レベルの平均値が最大となる波形識別子に対応付けられたＦＦＴ信号を伝送路等価処理の対象として選択する。
即ち、同一の伝送時間及び位相を有する信号（遅延波）に同期するＦＦＴ窓パルスに従ってＡＤＣ回路１０から出力されるＯＦＤＭ信号をＦＦＴ処理したＦＦＴ信号の信号レベルの平均値が最大となるＦＦＴ信号を伝送路等価処理の対象として選択することが可能となり、伝送路等価処理により適したＦＦＴ信号を生成することが可能となる。
【０１０９】
伝送路等価回路２４は、切り替え回路２２、及び切り替え回路２２ａから出力されたＦＦＴ信号を４シンボル数（伝送路等価処理に必要な規定シンボル数）毎にＦＦＴ信号メモリ２４０へ格納し、伝送路等価処理を行う。即ち、伝送路等価回路２４は、伝送路等価に必要な規定シンボル数のＦＦＴ信号に対して、同一の伝送時間及び位相を有する信号（遅延波）に同期するＦＦＴ窓パルスに従って抽出されたＦＦＴ信号のうち、信号レベルの平均値が最大となるＦＦＴ信号に基づいて伝送路等価処理を行うこととなる。
【０１１０】
また、ピーク検出回路は、ピーク検出回路１８−１及びピーク検出回路１８−２の２つの回路によって最大レベルの信号と第２レベルの信号とを検出することとして説明したが、次のようにすることとしてもよい。すなわち、図８に示すように復調部５ｂを、１つのピーク検出回路１９と、最大レベル信号波形ブロック１２−３と、第２レベル信号波系ブロック１２−４と、切り替え回路２２と、伝送路等価回路２４と、復調回路２６とを備えて構成させる。尚、図１に示したＯＦＤＭ信号復調装置１と同一の構成要素には同一の符号を付して、以下、その説明を省略する。
【０１１１】
ピーク検出回路１９は、ＡＤＣ回路１０から出力された複数の信号の内の最大レベルの信号を検出してＦＦＴ窓パルス生成回路２０−１へ出力し、また、第２レベルの信号を検出してＦＦＴ窓パルス生成回路２０−２へ出力する。また、最大レベルの信号の波形識別子をＦＦＴ回路１６−１へ出力し、第２レベルの信号の波形識別子をＦＦＴ回路１６−２へ出力する。ＦＦＴ回路１４−１及びＦＦＴ回路１４−２は、上述した本実施形態と同様に、ＦＦＴ窓パルスに従ったＦＦＴ処理を行い、当該処理によるＦＦＴ信号と波形識別子とを対応付けて格納する。これにより、１つピーク検出回路１９によって上述した本実施形態と同様の効果を得ることができる。
【０１１２】
また、４シンボル数分のＦＦＴ信号を選択することとして説明したが、伝送路等価処理に適した数であれば適宜変更可能である。例えば、ＳＰ信号は、４シンボル数おきに挿入されることから、“４”の倍数である８シンボル分のＦＦＴ信号を選択することとしてもよい。この場合、図１の最大用メモリ１６−１及び第２用メモリ１６−２を図９の最大用メモリ１６−５及び第２用メモリ１６−６に置き換え、伝送路等価回路２４のＦＦＴ信号メモリ２４０は、第１ＦＦＴ信号〜第８ＦＦＴ信号を格納するように構成される。
【０１１３】
図９は、最大用メモリ１６−５及び第２用メモリ１６−６の構成を示す図である。同図（ａ）によれば、最大用メモリ１６−５は、第１ＦＦＴ信号１６１ａ〜第８ＦＦＴ信号１６１ｈを格納する。また、同図（ｂ）によれば、第２用メモリ１６−６は、第１ＦＦＴ信号１６２ａ〜第８ＦＦＴ信号１６２ｈを格納する。これにより、８シンボル分のＦＦＴ信号を選択して伝送路等価処理を行うことができる。
【０１１４】
また、切り替え回路２２が、最大用メモリ１６−１及び第２用メモリ１６−２のメモリ内容を参照して、ＦＦＴ信号を選択することして説明したが、例えば、切り替え回路２２の機能を伝送路等価回路２４に持たせて設計することとしてもよい。具体的には、図１の切り替え回路２２及び伝送路等価回路２４を、図１０のように、伝送路等価回路２４ｃに置き換える。伝送路等価回路２４ｃは、最大用メモリ１６−１及び第２用メモリ１６−２のメモリ内容を参照し、ＦＦＴ信号に対応付けられた波形識別子を基に、伝送路等価処理の対象とするＦＦＴ信号を選択する。そして、選択したＦＦＴ信号で伝送路等価処理を行う。
【図面の簡単な説明】
【０１１５】
【図１】本発明における実施形態のＯＦＤＭ信号復調装置の機能構成を示すブロック図。
【図２】本発明における実施形態の（ａ）は最大用メモリの構成の一例を示す図、（ｂ）は第２用メモリの構成の一例を示す図。
【図３】本発明における実施形態の切り替え回路の動作を説明するための図。
【図４】ＡＤＣ回路から出力された信号の、信号レベルと伝送時間との関係を示す図。
【図５】本発明における切り替え回路の動作の変形例の一例を説明するための図。
【図６】本発明における変形例の最大用メモリ及び第２用メモリの構成の第１の一例を示す図。
【図７】本発明における変形例の復調装置の第１の機能構成を示すブロック図。
【図８】本発明における変形例の復調装置の第２の機能構成を示すブロック図。
【図９】本発明における変形例の最大用メモリ及び第２用メモリの構成の第２の一例を示す図。
【図１０】本発明における変形例の復調装置の第３の機能構成を示すブロック図。
【図１１】従来のＯＦＤＭ信号復調装置の機能構成を示すブロック図。
【図１２】受信信号及びＦＦＴ窓パルスの概念図。
【図１３】従来の伝送路等価処理の処理内容の一例を説明するための図。
【符号の説明】
【０１１６】
１     ＯＦＤＭ信号復調装置
ＡＮＴ 外部アンテナ
３     チューナ部
５     復調部
１０   ＡＤＣ回路
１２−１      最大レベル信号波系ブロック
１４−１      ＦＦＴ回路
１６−１      最大用メモリ
１８−１      ピーク検出回路
２０−１      ＦＦＴ窓パルス生成回路
１２−２      第２レベル信号波系ブロック
１４−２      ＦＦＴ回路
１６−２      最大用メモリ
１８−２      ピーク検出回路
２０−２      ＦＦＴ窓パルス生成回路
２２   切り替え回路
２４   伝送路等価回路
２６   復調回路
７     復号部
【図１】
2005252671.tif 000003
【図２】
2005252671.tif 000004
【図３】
2005252671.tif 000005
【図４】
2005252671.tif 000006
【図５】
2005252671.tif 000007
【図６】
2005252671.tif 000008
【図７】
2005252671.tif 000009
【図８】
2005252671.tif 000010
【図９】
2005252671.tif 000011
【図１０】
2005252671.tif 000012
【図１１】
2005252671.tif 000013
【図１２】
2005252671.tif 000014
【図１３】
2005252671.tif 000015